(57)【特許請求の範囲】
【請求項１】
振動方向から見た平面形状が長径と短径とを有する非軸対称形であって音を放射する方向とは逆のふくらみをもつ逆ドーム状の振動板と、この振動板の外周部に沿って振動方向と平行に帯状に形成されその帯状の上端部が前記振動板の外周部に接着されたボイスコイルボビンと、前記ボイスコイルボビンの外周面に巻回されたボイスコイルと、前記ボイスコイルに振動用の磁束を与える磁気回路とで構成されるスピーカ。
【発明の詳細な説明】
【０００１】
【発明の属する技術分野】
本発明はテレビジョン受像機などに用いられるスピーカに関するものである。
【０００２】
【従来の技術】
近年、ハイビジョンやワイドビジョン等のテレビジョン受像機の普及により、テレビジョン受像機の画面は横長のものが一般的になりつつある。しかし一方では、我が国の住宅事情から、セットとして狭幅・薄型のものが望まれている。
【０００３】
テレビジョン受像機用のスピーカは、通常陰極線管の両脇に取り付けられるため、テレビジョン受像機の横幅を大きくする一因となっており、従来角型や楕円型の細長構造のスピーカが用いられてきた。また陰極線管の横長化により、スピーカの横幅はますます狭くすることが求められ、これと同時に画面の高画質化に対応した高音質化が要求され、トラック形の細長構造のスピーカが採用されるようになってきている。
【０００４】
従来のトラック形の細長のスピーカについて、図３（ａ）〜（ｃ）、図４を参照しながら説明する。図３は従来のトラック形の細長構造のスピーカの構造図であり、図３（ａ）は平面図、図３（ｂ）は長径方向の側断面図、図３（ｃ）は短径方向の側断面図、図４は周波数特性図である。同図において振動板１ｂは空気振動を発生する細長い振動板で、振動板１ｂの外周部にはエッジ２ｂが接合され、フレーム５ｂに保持されている。
【０００５】
上記振動板１ｂの中央部にはボイスコイルボビン３ｂが固着され、ダンパー４ｂを介してフレーム５ｂに振動自在に保持されている。一方、フレーム５ｂの中央凹部には、ヨーク８ｂ、磁石７ｂ、プレート６ｂからなる磁気回路１０が設けられている。そして、この磁気回路１０の空隙部に、ボイスコイルボビン３ｂに巻回されたボイスコイルが保持され、駆動電流によりボイスコイルボビン３ｂがピストン運動し、振動板１ｂがその方向に振動する。その結果、振動板１ｂから音波が放射される。
【０００６】
図４はこのスピーカの再生音圧レベルの周波数特性を示したものであり、縦軸はこのスピーカに１Ｗを入力したときの正面軸上１ｍの点における姿勢音圧レベルを示し、横軸は駆動周波数を示す。
【０００７】
【発明が解決しようとする課題】
しかしながら、上記のような従来のスピーカには次のような課題があった。即ち、細長の振動板１ｂの中央部を点駆動するという駆動方式を採っているため、長軸方向の分割共振が発生し易い。その結果、中高域では再生音圧の周波数特性にピーク・ディップを生じ、音質の劣化を招いていた。例えば、図４に示す特性上では、２ｋＨｚ、３ｋＨｚ及び５ｋＨｚに顕著なディップが見られる。
【０００８】
また、磁気回路１０とボイスコイルボビン３ｂを含む駆動系の幅は、スピーカの短径の長さより小さくする必要があり、ボイスコイルボビン３ｂの口径を大きく取ることは物理的に不可能で、ボイスコイルの線長Ｌも長くすることはできない。また磁石７ｂの体積も小さく限定されるために、空隙の磁束密度Ｂを充分に確保することができない。
【０００９】
その結果、駆動系の力係数（Ｂ×Ｌ）は小さくなり、変換効率を高くすることが困難であった。さらにダンパー４ｂはフレーム５ｂの内部に納まるように曲率半径・幅ともに小さくなり、その結果、振動系のスティフネスが大きくなって、最低共振周波数ｆｏが上昇し、低音域の再生が困難になるという課題を有していた。
【００１０】
本発明はこのような従来の課題に鑑みてなされたものであって、細幅（細長構造）でありながら分割共振が起こりにくく、かつ平坦な周波数特性が得られ、変換効率が高まり、最低共振周波数ｆｏを低く抑えて低音域の再生を可能とする音質の優れたスピーカを提供することを目的とするものである。
【００１１】
【課題を解決するための手段】
上記課題を解決するために本発明は、振動方向から見た平面形状が長径と短径とを有する非軸対称形であって音を放射する方向とは逆にふくらみをもつ逆ドーム状の振動板と、この振動板の外周部に沿って振動方向と平行に帯状に形成されその帯状の上端部が前記振動板の外周部に接着されたボイスコイルボビンと、ボイスコイルボビンの外周面に巻回されたボイスコイルと、このボイスコイルに振動用の磁束を与える磁気回路とでスピーカを構成することにより、ボイスコイルボビンの形状を振動板と同じ非軸対称形とすることによって、振動板の全体が駆動し、音を放射する方向とは逆にふくらみをもつ逆ドーム状の振動板によって、前面の空気控除量を大きく最低共振周波数ｆｏを低くでき、再生能力を向上させることができる。さらにボイスコイルの線長は従来のものに比べてかなり長くなり、磁石の体積も大きくできるため、駆動力が増加する優れたものとなる。
【００１２】
【発明の実施の形態】
本発明の請求項１に記載の発明は、振動方向から見た平面形状が長径と短径とを有する非軸対称形であって音を放射する方向とは逆のふくらみをもつ逆ドーム状の振動板と、この振動板の外周部に沿って振動方向と平行に帯状に形成されその帯状の上端部が上記振動板の外周部に接着されたボイスコイルボビンと、このボイスコイルボビンに巻回されたボイスコイルと、このボイスコイルに振動用の磁束を与える磁気回路とで構成したものであり、ボイスコイルボビンの形状を振動板と同形状の非軸対称形として振動板の全体を駆動し、逆ドーム形状の振動板として、振動板の前面の空気排除量を大きくして最低共振周波数ｆｏを低くするとともに、ボイスコイルの線長も長く、磁石も大きくして駆動力も大きくできるものである。
【００１３】
以下、本発明の実施の形態について図１（ａ）〜図１（ｃ）と図２により説明する。図１（ａ）は平面図、図１（ｂ）は長径方向の側断面図、図１（ｃ）は短径方向の側断面図、図２は図４と同条件で測定した周波数特性図であり、同図によると、１１ａは振動方向から見た平面形状が長径と短径とを有する非軸対称形であって音を放射する方向とは逆のふくらみをもつ逆ドーム状の振動板であり、１２ａはこの振動板１１ａの外周部に接合されたエッジであり、このエッジ１２ａはフレーム１５ａに保持されている。２０はこのフレーム１５ａの底面に組み付けられた磁気回路であり、ヨーク１８ａ、磁石１７ａ、プレート１６ａ等から構成されている。
【００１４】
１９ａは上記フレーム１５ａのフレーム窓に装着された防塵ネットであり、磁気回路２０への塵埃の侵入を防止している。１３ａは振動板１１ａの外周部に沿って振動方向と平行に帯状（トラック状）に形成され、上記振動板１１ａの外周部に接合されたボイスコイルボビンであり、図示していないが、磁気回路２０の磁気ギャップ２０ａに対応する位置にはボイスコイルが巻回されている。
【００１５】
本発明は長径と短径とを有する非軸対称形（トラック形）の振動板とすることで、図２に示すごとく分割共振が防止され、中高音域で平坦な周波数特性を得るとともに、逆ドーム形状とすることで低音特性の改善が図れるとともに、上記振動板と同様の形状のボイスコイルボビンとすることでボイスコイルの線長も長くでき、磁石も大きくして駆動力も大きくできるものである。
【００１６】
なお、振動板１１ａを逆ドーム形状とすることで広い指向特性も得られるものである。
【００１７】
また、従来のダンパも削除されている。
【００１８】
【発明の効果】
以上のように本発明は、低音特性に優れ、中高音域も平坦な音圧の周波数特性の得られるスピーカの提供を可能とするものであり、テレビジョン受像機に用いた場合は、テレビジョン受像機を横幅を広げることなく優れた音質特性をもったものとすることができるものである。
【図面の簡単な説明】
【図１】（ａ）  本発明の一実施の形態のスピーカの平面図
（ｂ）  同長径方向の側断面図
（ｃ）  同短径方向の側断面図
【図２】同再生音圧レベルの周波数特性図
【図３】（ａ）  従来のスピーカの平面図
（ｂ）  同長径方向の側断面図
（ｃ）  同短径方向の側断面図
【図４】同再生音圧レベルの周波数特性図
【符号の説明】
１１ａ  振動板
１２ａ  エッジ
１３ａ  ボイスコイルボビン
２０  磁気回路
【図１】
0003582201.tif 000002
【図２】
0003582201.tif 000003
【図３】
0003582201.tif 000004
【図４】
0003582201.tif 000005